(57)【要約】【課題】座部体を上昇させて利用者の立ち上がる負担を軽減する椅子において、利用者が上記座部体の上昇時に滑り落ちないように保持され安定した状態で確実に立ち上がることができるようにする。【解決手段】座部体を上昇させて利用者の立ち上がる負担を軽減する椅子において、上記椅子の表面を全体的に被覆している素材よりも、座部体上面の利用者の臀部が接触する部分に限定して滑りにくい素材を被覆した。さらに上記座部体上面の利用者の臀部が接触する部分に限定して滑りにくい素材を被覆した椅子に、肘掛体上面前方の利用者が立ち上がる時に手のひらが接触する部分に限定して滑りにくい素材を被覆した椅子であり、利用者は上記座部体の上昇時に滑り落ちないように保持されるため安定した状態で確実に立ち上がることができる。【選択図】　　　　図１
2004041571.tif 000002
【特許請求の範囲】
【請求項１】
座部体を上昇させて利用者の立ち上がる負担を軽減する椅子において、上記椅子の表面を全体的に被覆している素材よりも上記座部体上面の利用者の臀部が接触する部分に限定して滑りにくい素材を被覆したことを特徴とする椅子。
【請求項２】
請求項１記載の椅子において、上記椅子の肘掛体上面前方の利用者が立ち上がる時に手のひらが接触する部分に限定して、滑りにくい素材を被覆したことを特徴とする椅子。
【発明の詳細な説明】
【０００１】
【発明が属する技術分野】
この発明は足腰の筋力が低下した人が使用するのに好適する椅子に関する。
【０００２】
【従来の技術】
足腰の筋力が弱っている利用者は椅子の座部体に座ったり、立ち上がることが容易でない。
【０００３】
一般に、椅子は利用者が着座するための座部体を有する。この座部体は通常、脚体にほぼ水平に設けられている。そのため、上記座部体に着座するとき、利用者は臀部を座部体の高さ位置まで深く降ろさなければならないから、その動作が足腰に大きな負担を掛けることになる。
【０００４】
また、利用者が立ち上がるときには、座部体に深く降ろした臀部を上げなければならず、しかも臀部を曲げた状態から伸ばさなければならないから、その動作が足腰に大きな負担を掛けることになる。
【０００５】
利用者が椅子に座ったり、立ち上がるときの足腰の負担を軽減するために、実公Ｓ６１−３４０１号公報に示される椅子が提案されている。この椅子は座部体が前端側を支点として回動可能に設けられ、この座部体がばねによって前端部を支点として後端側が上昇する方向に付勢されている。
【０００６】
上記座部体はばねの付勢力に抗してほぼ水平な状態で保持できるようになっている。そのため、利用者が着座するときには、座部体の保持状態を解除してばねの付勢力で傾斜状態にする。それによって、利用者は臀部をわずかに降ろすことで、上記座部体に当てることができるから、比較的楽に座ることができ、立ち上がるときには上昇方向に付勢された座部体によって臀部が押し上げられるから、その場合も比較的楽に立ち上がることが可能となる。
【０００７】
【発明が解決しようとする課題】
ところで、臀部が座部体によって押し上げられながら利用者が立ち上がるとき、座部体が回動するにつれてその上面がなす角度が大きくなる。そのため、座部体の上面に押し当てた利用者の臀部がこの座部体の上面で上方から下方へ滑ることがある。
【０００８】
臀部が座部体の上面で下方へ滑ると、利用者の足腰に掛かる負担が大きくなる。そのため、足腰が弱い利用者の場合には足腰がふらつき、安定した状態で立ち上がることができないことがある。
【０００９】
また、一般の椅子には肘掛体が設けられているものが多い。この肘掛体が設けられている椅子に上記のような臀部が押し上げられる座部体を構成した場合、利用者は安定した状態で立とうとするため椅子の肘掛体に手を掛ける。
【００１０】
しかし、この肘掛体の表面が平滑な滑り易い素材である場合、肘掛体に掛けた手が肘掛体上面で滑ることがある。
【００１１】
この発明は、座部体を上昇方向に回動させて利用者が立ち上がるとき、利用者の臀部が座部体の上面で滑りにくいようにし、さらに肘掛体に掛けた手が肘掛体上面で滑りにくいようにした椅子を提供することにある。
【００１２】
【課題を解決するための手段】
請求項１の発明は、座部体を上昇させて利用者の立ち上がる負担を軽減する椅子において、上記椅子の表面を全体的に被覆している素材よりも上記座部体上面の利用者の臀部が接触する部分に限定して滑りにくい素材を被覆したことを特徴とする椅子。
【００１３】
請求項２の発明は、請求項１記載の椅子において、上記椅子の肘掛体上面前方の利用者が立ち上がる時に手のひらが接触する部分に限定して滑りにくい素材を被覆したことを特徴とする椅子。
【００１４】
【発明の実施の形態】
以下、本発明の実施の形態を図面に基づいて説明する。
【００１５】
【実施例】
図１と図２はこの発明の一実施例を示すもので、図１は椅子の座部体が上昇した状態の図である。図２は椅子の座部体が脚体にほぼ水平状態の図である。
【００１６】
図１に示すように、上記椅子は座部体１と座部体１と連続的に構成され座部体１の前端部で略９０度屈曲している脚カバー体２と背部体３と肘掛体４と脚体５と図示しない椅子本体内部の駆動本体部に構成されている。
【００１７】
また、上記椅子は椅子表面を全体的に塩化ビニールレザーなどの表面が平滑な素材で被覆している
【００１８】
上記塩化ビニールレザーなどの表面が平滑な素材は布製のものと比べ、その表面が汚れた場合、拭き掃除がしやすいという利点があり、介護用の椅子に好んで使用されている。
【００１９】
上記座部体１は図示しない椅子本体内部の駆動本体部の回動ブラッケットと座部体１の前端側を回動可能に枢着している。
【００２０】
上記図示しない椅子内部に構成される駆動本体部には駆動源によって進退可能な駆動軸を有する駆動機構が駆動リンクに枢着されている。前記駆動軸を進退させると駆動リンクを介して座部体１は前端側を支点として図１と図２に示すように上昇方向と水平方向どちらにも回動可能である。
【００２１】
また、座部体１の両側には肘掛体平板部６を有し、先端が上方へせり上がった肘掛体４が一体的に取り付けてあり、肘掛体４は座部体１の回動に追従する。
【００２２】
上記座部体１と肘掛体４の表面全体は塩化ビニールレザーなどの表面が平滑な素材で被覆されているが、利用者の臀部が接触する部分７と、立ち上がる時に利用者の手のひらが接触する肘掛体４の上面前方部８には上記平滑な素材よりも、摩擦抵抗の大きい素材をその部分に限定して被覆している。
【００２３】
この、摩擦抵抗の大きい素材とは塩化ビニールレザーにウレタン樹脂コーティングを施したものや、滑りにくいように表面に細かい凹凸の施された素材などが被覆されている。
【００２４】
つぎに、上記構成の椅子を利用する場合について説明する。
【００２５】
利用者は通常、図２の状態で座部体１に座っている。
【００２６】
利用者が座部体１に座った状態から立ち上がる場合、駆動機構の駆動源を作動させて駆動軸を後退させ駆動リンクを介して座部体１を前端側を支点として上昇方向へ回動させる。
【００２７】
図１に示すように座部体１が上昇すると、この座部体１に着座した利用者の臀部が斜め上方へ押し上げられる。そのため、利用者は座部体１と座部体１に一体的に取り付けてある肘掛体４の上方へせり上がった先端に手を掛けながら座部体１の回動上昇とともに立ち上がることができる。
【００２８】
このとき利用者の臀部が接触する部分７と、利用者の手のひらが接触する肘掛体４の上面前方部８には摩擦抵抗の大きい滑りにくい素材を被覆しているので利用者は滑り落ちないように保持されるため安定した状態で確実に立ち上がることができる。
【発明の効果】
【００２９】
以上説明したように、本発明の椅子は、上述の構成とすることで以下に示す効果を奏するものである。
【００３０】
請求項１の発明によれば、座部体を上昇させて利用者の立ち上がる負担を軽減する椅子において、上記椅子の表面を全体的に被覆している素材よりも上記座部体上面の利用者の臀部が接触する部分に限定して滑りにくい素材を被覆したことにより、利用者は上記座部体の上昇時に滑り落ちないように保持されるため安定した状態で確実に立ち上がることができる。
請求項２の発明によれば、請求項１記載の椅子において、上記椅子の肘掛体上面前方の利用者が立ち上がる時に手のひらが接触する部分に限定して滑りにくい素材を被覆したことにより、利用者は上記座部体の上昇時に滑り落ちないように保持されるため安定した状態で確実に立ち上がることができる。
【図面の簡単な説明】
【図１】椅子の座部体が上昇した状態の図である。
【図２】椅子の座部体が脚体にほぼ水平状態の図である。
【符号の説明】
１　　座部体
２　　脚カバー体
３　　背部体
４　　肘掛体
５　　脚体
６　　肘掛体平板部
７　　利用者の臀部が接触する部分
８　　利用者の手のひらが接触する肘掛体４の上面前方部
【図１】
2004041571.tif 000003
【図２】
2004041571.tif 000004